(57)【要約】【課題】ゲルマニウム治療効果を有する眼鏡用鼻当て及び眼鏡を提供する。【解決手段】一対の眼鏡用鼻当て１０は、シリコーン樹脂その他の合成樹脂を素材とするパッド本体部１と、眼鏡１７のリム１８に固定されたパッドアーム１９に係止するための一部が前記パッド本体部１に埋設されたパッドプレート２０とからなる一対の眼鏡用鼻当てＡ、Ｂにおいて、ゲルマニウムを主とする合金素材を成形してなるゲルマニウムペレット３が、眼鏡を掛けた状態で晴明のツボ辺りの鼻に当接するように表面Ｓを露出して埋設されている構成である。【選択図】  図４
0003138573.tif 000002
【実用新案登録請求の範囲】
【請求項１】
一対の眼鏡用鼻当てにおいて、ゲルマニウムを主とする金或いは銀との合金素材を成形してなるゲルマニウムペレットが、眼鏡を掛けた状態で鼻柱の晴明のツボ近傍に当接するように表面を露出かつ突出して埋設されていることを特徴とする眼鏡用鼻当て。
【請求項２】
一対の眼鏡用鼻当てにおいて、鼻当て本体に埋設されているパッドプレートがゲルマニウムを主とする金或いは銀との合金素材からなるとともに、眼鏡を掛けた状態で鼻に対向する側の表面が鼻柱の晴明のツボ近傍に当接するように露出かつ突出して埋設されていることを特徴とする眼鏡用鼻当て。
【請求項３】
請求項１又は請求項２記載の一対の眼鏡用鼻当てを装着していることを特徴とする眼鏡。
【考案の詳細な説明】
【技術分野】
【０００１】
本考案は、眼鏡用鼻当て（ノーズパッド（nose pads）、タブ（tabs）とも称される。）の構造に関する技術分野に属する。
【背景技術】
【０００２】
半導体元素である原子番号３２のゲルマニウム（元素記号Ｇｅ）の有する治療効果が唱えられて久しい。
【０００３】
ゲルマニウムは、人体に有害な活性酸素による筋肉細胞の破壊を抑制することが立証されており、ゲルマニウムの自由電子が皮膚から深く身体に浸透して患部のプラスイオンを中和し、こりや痛みを緩和し、生体電流の乱れを整えるとされる。
【０００４】
また、ゲルマニウムには、局所加温効果、イオン浸透効果、ツボ圧着効果があるとされ、更に、半永久的な効果の持続、即効性、光や電磁波に対する防御作用、熱による効果発揮、副作用が無く安全である等の点に特長があるとも言われている。
【０００５】
このように優れた治療効果を有するゲルマニウムに着目したゲルマニウム療法が提唱され、ゲルマニウムを用いた健康医療用具が既に市販されている。
【０００６】
例えば、図５の（ａ）正面図及び（ｂ）断面図に示されるように、直径４〜１０ｍｍ程度の円盤状の純度の高い（９９．９％）ゲルマニウム粒１５を直径数センチの円形の絆創膏１６等の粘着シールに取り付けた商品が市販されており、身体の各所ツボに貼って筋肉のこりや痛みを緩和する技術及び療法が公知となっている。
【０００７】
また、上記のようなゲルマニウム粒１５を複数個取り付けたネックレスやブレスレット等の装身具がゲルマニウム療法を自然に行える健康促進商品として既に市販されている。前記ネックレスやブレスレットのゲルマニウム粒１５がそれぞれ首回りや腕回りのツボに当接してゲルマニウムによる筋肉のこりや痛みの緩和効果等が身につけるだけで得られるという訳である。
【０００８】
上記のようなゲルマニウムを利用した健康医療用具を用いたゲルマニウム療法に関する公知文献として既に多数の書籍が発行されている。例えば、下記［非特許文献１］、［非特許文献２］には、ゲルマニウムの効用、ゲルマニウム療法及びゲルマニウム粒を絆創膏につけて身体の各ツボに貼って使用する前記商品が開示されている。
【０００９】
【非特許文献１】帯津良一監修，「最新ゲルマニウム  驚異のパワー療法」，初版，株式会社健友館，２００１年９月３０日
【００１０】
【非特許文献２】石垣健一監修，レディブティックシリーズ通巻１５４４号「貼ってすぐ効く新ゲルマニウム療法」，ブティック社，２００２年１０月１０日
【考案の開示】
【考案が解決しようとする課題】
【００１１】
東洋医学のツボ療法における人体のツボ（経穴）は、頭頂から足の指先まで非常に多く存在している。その中で顔面の重要なツボとして、晴明（せいめい）がある。この晴明のツボは、図６の黒丸Ｐで示されるように、目頭を指で押さえると判る鼻柱と眼球の間にある骨の一番深いくぼみの辺りに存在し、この晴明のツボを刺激すると目にあらわれる種々の症状に効果があるとされている。
【００１２】
しかしながら、絆創膏にゲルマニウム粒を貼り付けた前記商品は、特に敏感肌の顔面のツボに対する使用がためらわれるのが通常である。また、肌色の絆創膏を用いるにしても、外観上直ぐに使用が判るのでみっともないと感じるのが常である。
【００１３】
本考案は上記事情に鑑みてなされたものであり、眼鏡の鼻当てが当接する箇所が丁度晴明のツボ辺りに該当すること及び眼鏡用鼻当てが汎用性があって簡単に脱着交換できることに着目して、眼鏡を掛けているだけでゲルマニウム療養効果を発揮する眼鏡用鼻当て及びこれを装着した眼鏡を提供することを目的とする。
【課題を解決するための手段】
【００１４】
本考案は、上記課題を達成するために、
（１）一対の眼鏡用鼻当てにおいて、ゲルマニウムを主とする金或いは銀との合金素材を成形してなるゲルマニウムペレットが、眼鏡を掛けた状態で鼻柱の晴明のツボ近傍に当接するように表面を露出かつ突出して埋設されていることを特徴とする眼鏡用鼻当てを提供する。
（２）また、一対の眼鏡用鼻当てにおいて、鼻当て本体に埋設されているパッドプレートがゲルマニウムを主とする金或いは銀との合金素材からなるとともに、眼鏡を掛けた状態で鼻に対向する側の表面が鼻柱の晴明のツボ近傍に当接するように露出かつ突出して埋設されていることを特徴とする眼鏡用鼻当てを提供する。
（３）さらに、上記（１）又は（２）に記載の一対の眼鏡用鼻当てを装着していることを特徴とする眼鏡を提供する。
【考案の効果】
【００１５】
本考案に係る眼鏡の鼻当て及び眼鏡は、上記のように鼻当てに設けられたゲルマニウムペレット又はゲルマニウム製パッドプレートが鼻柱近傍の晴明のツボに当接するように構成されているため、
（１）眼鏡を掛けている間中、晴明のツボに対してゲルマニウムによる目の諸症状（目の疲れ、こりや痛み）を緩和する療養効果が与えられる。
（２）構成要素たるゲルマニウムは、絆創膏その他の貼り付け手段によって顔に当接している訳ではないので、外観上全く判らず違和感がないという効果を有する。
（３）既存の眼鏡の鼻当てと交換して使用出来るという利便性、汎用性を有する。
【考案を実施するための最良の形態】
【００１６】
本考案に係る眼鏡の鼻当て（ノーズパッド）及び眼鏡の実施の形態について図面に基づいて説明する。
図１は、本考案に係る一対の鼻当ての［実施例１］の斜視図である。
図２は、本考案に係る一対の鼻当ての［実施例１］の側面図である。
図３は、本考案に係る一対の鼻当ての［実施例２］の側面図である。
図４は、本考案に係る眼鏡の鼻当て部分近傍の部分拡大斜視図である。
【実施例１】
【００１７】
図１又は図２に示されるように、本考案に係る一対の眼鏡用鼻当て１０は、シリコーン樹脂その他の合成樹脂を素材とするパッド本体部１と、図４に示されるような眼鏡１７のリム１８に固定されたパッドアーム１９に係止するための一部が前記パッド本体部１に埋設されたパッドプレート２０とからなる一対の眼鏡用鼻当てＡ、Ｂにおいて、ゲルマニウムを主とする合金素材を成形してなるゲルマニウムペレット３が、既存のパッドプレート２０とは別個に眼鏡を掛けた状態で鼻に当接するように表面Ｓを露出して埋設されている構造である。
【００１８】
上記ゲルマニウムペレット３の表面Ｓは、パッド本体部１の表面から僅かに（０．１ｍｍ程度）突出するようにして露出させ、眼鏡を掛けている状態で必ず鼻柱近傍の晴明のツボ辺りに当接するようにパッド本体部１に埋設することが肝要である。
【００１９】
上記構造によって一対の眼鏡用鼻当て１０を装着した眼鏡を掛けるだけで、晴明のツボに対してゲルマニウムペレット３によるゲルマニウム治療効果が得られるのである。
【００２０】
なお、ゲルマニウムペレット３の材料は、高純度（例えば９９．９％）の無機ゲルマニウムを主とする金或いは銀との合金であり、その寸法形状は、対象とする鼻当てＡ、Ｂのサイズや眼鏡のデザイン等によって最適な寸法形状が変わるが、概ね、厚さ０．３〜１．２ｍｍ，直径２〜７ｍｍの円形や多角形或いは長径３〜１４ｍｍの楕円形等が適当である。
【００２１】
なお、ゲルマニウムは灰白色の固い物質で、銀のような金属光沢があるので、意匠的な意味合いでも高級感を醸し出し、特に金属フレームに対しては調和的である。
【実施例２】
【００２２】
上記ゲルマニウムペレット３は、鼻当てにおけるパッドプレート２０自体又はその一部をゲルマニウム素材に置き換えることでも実現できる。
【００２３】
例えば、図３に示される眼鏡用鼻当て１２のように、鼻当て本体１に埋設されているパッドプレート６がゲルマニウムを主とする金或いは銀との合金素材からなるゲルマニウムパッドプレートであるとともに、眼鏡を掛けた状態で鼻に対向する側の表面Ｓ′が鼻に当接するように露出して埋設されている構造である。勿論、ゲルマニウムパッドプレート６の鼻に対向する側の表面Ｓはパッド本体部１の表面から僅かに突出していて必ず鼻の晴明のツボの辺りに当接することが肝要である。
【００２４】
次に、本考案に係る眼鏡は、図４に示される眼鏡１７のように、鼻当てとして、本考案に係る眼鏡用鼻当て１０を装着した構造である。また、既存の眼鏡の鼻当てと交換したものでもよい。
【００２５】
本考案の最大の特長は、眼鏡用鼻当て１０、１２自体がゲルマニウムによる健康増進作用（目の疲れ、こりや痛みを緩和する作用効果等の治療効果）を備える点にある。これによって、外観上全く違和感がなく、眼鏡使用による目の疲れ、痛みが軽減され、逆に晴明のツボの刺激による治療効果が得られるのである。
【００２６】
なお、ゲルマニウムには、地層中に含まれるレアメタルとしての無機ゲルマニウムと、朝鮮人参や霊芝等の薬用植物に多く含まれる有機ゲルマニウムの２種類があるが、本考案で用いるゲルマニウムは無機ゲルマニウムである。
【図面の簡単な説明】
【００２７】
【図１】本考案に係る一対の鼻当ての［実施例１］の斜視図である。
【図２】本考案に係る一対の鼻当ての［実施例１］の側面図である。
【図３】本考案に係る一対の鼻当ての［実施例２］の側面図である。
【図４】本考案に係る眼鏡の鼻当て部分近傍の部分拡大斜視図である。
【図５】ゲルマニウムを用いた従来の健康医療用具の例である。
【図６】東洋医学のツボ療法における顔面の晴明のツボを示す図である。
【符号の説明】
【００２８】
１    パッド本体部
３    ゲルマニウムペレット
６    ゲルマニウムパッドプレート
１０、１２    一対の眼鏡用鼻当て
１５    ゲルマニウム粒
１６    絆創膏
１７    眼鏡
１８    リム
１９    パッドアーム
２０    パッドプレート
Ａ、Ｂ    眼鏡用鼻当て
Ｓ    ゲルマニウムペレットの表面
Ｓ′  ゲルマニウムパッドプレートの表面
Ｐ    晴明のツボ
【図１】
0003138573.tif 000003
【図２】
0003138573.tif 000004
【図３】
0003138573.tif 000005
【図４】
0003138573.tif 000006
【図５】
0003138573.tif 000007
【図６】
0003138573.tif 000008